(57)【要約】【課題】傷発生を防止するのみならず、使用時には外れにくく、交換時には容易に交換して着せ替えができる、見映えがよく、商品性の高い折畳み式携帯電子機器を提供する。【解決手段】第１の筐体２をカバー２０の第１平面部２１及び第１枠部２３に挿入した状態で、表示部５を露出させる固定部材側第１窓部３１を有する板状の第１固定部材３０と第１枠部２３を挟むようにして第１締結部材１３によって締結する。第２の筐体３をカバー２０の第２平面部２４及び第２枠部２６に挿入した状態で、操作部１１を露出させる固定部材側第２窓部３６を有する板状の第２固定部材と第２枠部を挟むようにして第２締結部材１４によって締結する。【選択図】図４
2007235745.tif 000002
【特許請求の範囲】
【請求項１】
正面側に表示部を有する第１の筐体と、正面側に操作部を有する第２の筐体と、第１及び第２の筐体を折り畳み自在に連結するヒンジ部とを備え、第１の筐体及び第２の筐体の少なくとも背面側がカバーで覆われた折畳み式携帯電子機器であって、
上記カバーは、上記第１の筐体背面を覆う第１平面部と、該第１平面部に設けられ、中央に上記表示部を露出させるカバー側第１窓部を有して第１の筐体周縁を覆う第１枠部と、第２の筐体背面を覆う第２平面部と、該第２平面部に設けられ、中央に上記操作部を露出させるカバー側第２窓部を有して第２の筐体周縁を覆う第２枠部と、該第１平面部と第２平面部とを連結する結合部とを備え、
上記第１の筐体は、上記カバーの第１平面部及び第１枠部に挿入された状態で、上記表示部を露出させる固定部材側第１窓部を有する板状の第１固定部材と上記第１枠部を挟むようにして第１締結部材によって締結され、
上記第２の筐体は、上記カバーの第２平面部及び第２枠部に挿入された状態で、上記操作部を露出させる固定部材側第２窓部を有する板状の第２固定部材と上記第２枠部を挟むようにして第２締結部材によって締結されている
ことを特徴とする折畳み式携帯電子機器。
【請求項２】
請求項１に記載の折畳み式携帯電子機器において、
上記第１の筐体の表示部周縁には、上記第１枠部の位置決めをするための第１係合用突起が形成され、上記第２の筐体の操作部周縁には、上記第２枠部の位置決めをするための第２係合用突起が形成され、
上記第１枠部には、上記第１係合用突起が係合する第１係合孔が形成され、
上記第２枠部には、上記第２係合用突起が係合する第２係合孔が形成されている
ことを特徴とする折畳み式携帯電子機器。
【請求項３】
請求項２に記載の折畳み式携帯電子機器において、
上記第１固定部材には、上記第１の筐体に設けた受話部に対応するように受話部用貫通孔が形成され、
上記第２固定部材には、上記第２の筐体に設けた送話部に対応するように送話部用貫通孔が形成されている
ことを特徴とする折畳み式携帯電子機器。
【請求項４】
請求項１乃至３のいずれか１つに記載の折畳み式携帯電子機器において、
上記第１枠部及び第２枠部の少なくとも一方には、上記ヒンジ部側に上記第１又は第２の筐体を挿入するためのスリットが形成されている
ことを特徴とする折畳み式携帯電子機器。
【請求項５】
請求項１乃至４のいずれか１つに記載の折畳み式携帯電子機器において、
上記カバーは、本革を材料としている
ことを特徴とする折畳み式携帯電子機器。
【請求項６】
請求項１乃至４のいずれか１つに記載の折畳み式携帯電子機器において、
上記カバーは、合成皮革で構成されている
ことを特徴とする折畳み式携帯電子機器。
【請求項７】
請求項１乃至４のいずれか１つに記載の折畳み式携帯電子機器において、
上記カバーは、布で構成されている
ことを特徴とする折畳み式携帯電子機器。
【請求項８】
請求項１乃至７いずれか１つに記載の折畳み式携帯電子機器において、
上記第１及び第２固定部材は、樹脂成形品で構成されている
ことを特徴とする折畳み式携帯電子機器。
【請求項９】
請求項１乃至７のいずれか１つに記載の折畳み式携帯電子機器において、
上記第１及び第２固定部材は、金属材料で構成されている
ことを特徴とする折畳み式携帯電子機器。
【請求項１０】
請求項１乃至９のいずれか１つに記載の折畳み式携帯電子機器において、
折畳み式携帯電話機である
ことを特徴とする折畳み式携帯電子機器。
【発明の詳細な説明】
【技術分野】
【０００１】
本発明は、カバーを装着した折畳み式携帯電子機器に関する。
【背景技術】
【０００２】
携帯電話機は全国でますます普及し、メールや電話をする人が増えている。そして携帯するが故に持ち運び落としてしまうことも度々あり、携帯電話機の外観を傷付けてしまう。
【０００３】
そのため、落としても傷を付けにくくするために、カバーを設けるものが知られている。このようなカバーを設けても、すぐにカバーを脱着して使用可能にしたり、またカバーを付たままで使用可能にするよう工夫されている。
【０００４】
例えば、特許文献１には、携帯電話機を収納するカバーで、ベルト等に装着し、脱着を素早く行え、携帯電話機を収納したままで通話が行えるカバー装置が開示されている。
【０００５】
また、特許文献２には、カバーの上下の折り返しでベルト装着用のループを構成し、使用時には、カバーに折り返し部を密着して邪魔にならないようにすることが記載されている。
【０００６】
また、特許文献３には、機器本体を収めた筐体及びこの筐体を固着するシート部を有する本体部と、この本体部に被着するカバーとを有する小型電子機器において、前記本体部の前記シート部は、前記筐体よりも側方に突出するフランジ部を有し、前記カバーは、前記フランジ部に係止させて前記シート部に被着する袋状の周辺部を外縁部に有する小型電子機器が開示されている。
【特許文献１】特開平１１−２８５４０８号公報
【特許文献２】特開平１１−２９９５２２号公報
【特許文献３】特開２００５−１３６２６１号公報
【発明の開示】
【発明が解決しようとする課題】
【０００７】
ところで、近年、携帯電話機の外観を変えるアクセサリが用いられている。すなわち、気分によって日替わりで違うアクセサリを付けたり、季節によってアクセサリを変えたり、仕事やプライベートでアクセサリを変えたり、会う相手によってアクセサリを変えたりするというニーズがある。
【０００８】
しかしながら、従来の携帯電話機等の携帯電子機器では、携帯電話機の傷発生を防止したり、使用者の体が触れたときの不快感を防ぐことはできるものの、容易にＴＰＯに合わせて外観を変えることができなかった。つまり、上記特許文献３には、着脱自在なカバーが開示されているが、実際には、フランジ部と袋状の周辺部とを接着しないと、開閉時にカバーがフランジ部に対して動いてしまうので、容易にカバーが外れてしまう。これを防ぐためには、フランジ部とカバーとを接着せざるを得ず、結果としてカバーを着脱自在に構成できないという問題がある。
【０００９】
本発明は、かかる点に鑑みてなされたものであり、その目的とするところは、傷発生を防止するのみならず、使用時には外れにくく、交換時には容易に交換して着せ替えができる、見映えがよく、商品性の高い携帯電子機器を提供することにある。
【課題を解決するための手段】
【００１０】
上記目的を達成するために、第１の発明では、正面側に表示部を有する第１の筐体と、正面側に操作部を有する第２の筐体と、第１及び第２の筐体を折り畳み自在に連結するヒンジ部とを備え、第１の筐体及び第２の筐体の少なくとも背面側がカバーで覆われた折畳み式携帯電子機器を対象とし、
上記カバーは、上記第１の筐体背面を覆う第１平面部と、該第１平面部に設けられ、中央に上記表示部を露出させるカバー側第１窓部を有して第１の筐体周縁を覆う第１枠部と、第２の筐体背面を覆う第２平面部と、該第２平面部に設けられ、中央に上記操作部を露出させるカバー側第２窓部を有して第２の筐体周縁を覆う第２枠部と、該第１平面部と第２平面部とを連結する結合部とを備え、
上記第１の筐体は、上記カバーの第１平面部及び第１枠部に挿入された状態で、上記表示部を露出させる固定部材側第１窓部を有する板状の第１固定部材と上記第１枠部を挟むようにして第１締結部材によって締結され、
上記第２の筐体は、上記カバーの第２平面部及び第２枠部に挿入された状態で、上記操作部を露出させる固定部材側第２窓部を有する板状の第２固定部材と上記第２枠部を挟むようにして第２締結部材によって締結されている。
【００１１】
上記の構成により、第１の筐体は、第１固定部材により、カバーの第１平面部及び第１枠部に挟まれた状態で第１締結部材で締め付けられ、第２の筐体は、第２固定部材により、カバーの第２平面部及び第２枠部に挟まれた状態で第２締結部材で締め付けられる。このため、カバーが第１及び第２の筐体に堅固に取り付けられているので、意図せず剥がれることはなく、第１及び第２枠部が板状の第１及び第２固定部材で押さえつけられるように第１及び第２の筐体に締結されているので、カバーの端部がユーザーの耳等に当たって不快感を与えることがない。また、カバー側及び固定部材側第１窓部から表示部が露出し、カバー側及び固定部材側第２窓部から操作部が露出するので、カバーを設けていても、操作性、視認性を低下させることなく折畳み式携帯電子機器が使用される。また、第１及び第２締結部材を外すことにより、容易に第１及び第２固定部材を外して、カバーの交換が行われる。
【００１２】
第２の発明では、上記第１の筐体の表示部周縁には、上記カバーの第１枠部の位置決めをするための第１係合用突起が形成され、上記第２の筐体の操作部周縁には、上記カバーの第２枠部の位置決めをするための第２係合用突起が形成され、
上記第１枠部には、上記第１係合用突起が係合する第１係合孔が形成され、
上記第２枠部には、上記第２係合用突起が係合する第２係合孔が形成されている。
【００１３】
上記の構成によると、第１の筐体の第１係合用突起が第１枠部の第１係合孔に係合し、第２の筐体の第２係合用突起が第２枠部の第２係合孔に係合するので、カバーが第１及び第２の筐体に正確に位置決めされた状態で取り付けられる。したがって、確実にカバーが表示部及び操作部を覆うのを防いで、操作性、可視性を低下させることなく折畳み式携帯電子機器の使用が可能になる。
【００１４】
第３の発明では、上記第１固定部材には、上記第１の筐体に設けた受話部に対応するように受話部用貫通孔が形成され、
上記第２固定部材には、上記第２の筐体に設けた送話部に対応するように送話部用貫通孔が形成されている。
【００１５】
上記の構成によると、第１及び第２固定部材は、それぞれ第１又は第２の筐体に締結されているので、正確に位置決めされ、受話部及び送話部が第１及び第２固定部材に覆われることがなく、音がこもったり、聞き取りにくくなることはない。
【００１６】
第４の発明では、上記第１枠部及び第２枠部の少なくとも一方には、上記ヒンジ部側に上記第１又は第２の筐体を挿入するためのスリットが形成されている。
【００１７】
上記の構成によると、カバーにスリットが設けられているので、第１の筐体及び第２の筐体にカバーを取り付ける際に、カバーを無理やり引っ張って第１及び第２の筐体を挿入しなくてもよく、容易に取付及び交換作業が行われる。スリットは、第１枠部又は第２枠部のいずれに設けてもよく、スリットを設けていない側から第１又は第２の筐体の一方を挿入した後、スリットを開いて他方を挿入すればよい。双方にスリットを設けた場合には、挿入手順はどちらからでもよい。どのケースにおいても、スリットは第１又は第２固定部材に覆われるので、見映えが悪くならない。
【００１８】
第５の発明では、上記カバーは、本革で構成されている。
【００１９】
上記の構成により、本革によって動物が持つ自然の手触りや匂いを楽しむことができる。
【００２０】
第６の発明では、上記カバーは、合成皮革で構成されている。
【００２１】
上記の構成により、合成皮革は、材質や加工方法によって表面にいろいろな装飾を施すことができると共に、手入れが容易である。
【００２２】
第７の発明では、上記カバーは、布で構成されている。
【００２３】
上記の構成により、汚れれば取り外して洗うことも可能となる。
【００２４】
第８の発明では、上記第１及び第２固定部材は、樹脂成形品とする。
【００２５】
上記の構成により、加工が容易でカバーの材質に合わせた色調や質感を選択できるので、ファッション性が向上する。また、剛性が高く、第１及び第２固定部材に受話部用及び送話部用貫通孔を設けてもその貫通孔がずれないので、受話部や送話部を塞いでしまうことがない。
【００２６】
第９の発明では、上記第１及び第２固定部材は、金属材料で構成されるものとする。
【００２７】
上記の構成により、金属材料特有の質感を味わえ、また、剛性が高く、第１及び第２固定部材に受話部用及び送話部用貫通孔を設けてもその貫通孔がずれないので、受話部や送話部を塞いでしまうことがない。
【００２８】
第１０の発明では、折畳み式携帯電子機器を折畳み式携帯電話機とする。
【００２９】
上記の構成より、高級感、ファッショ性のある折畳み式携帯電話機が得られる。
【発明の効果】
【００３０】
以上説明したように、第１固定部材により、第１の筐体をカバーの第１平面部及び第１枠部に挟んだ状態で第１締結部材で締め付け、第２固定部材により、第２の筐体をカバーの第２平面部及び第２枠部に挟んだ状態で第２締結部材で締め付けている。このため、傷発生を防止するのみならず、使用時には外れにくく、交換時には容易に交換して着せ替えができる、見映えがよく、商品性の高い折畳み式携帯電子機器を提供することができる。
【発明を実施するための最良の形態】
【００３１】
以下、本発明の実施形態を図面に基づいて説明する。
【００３２】
図１は、本発明の実施形態に係る折畳み式携帯電子機器としての携帯電話機１の閉じた状態を右方向から見た斜視図である。図２は、携帯電話機１の開いた状態を右方向から見た斜視図である。図３は、携帯電話機１の開いた状態を示す正面図である。
【００３３】
図１及び図２に示すように、本実施形態の携帯電話機１は、第１の筐体２と、第２の筐体３とを有し、これらがヒンジ部４によって回転可能に結合されている。電話機本体１０は、これら第１及び第２の筐体２，３で構成され、この電話機本体１０の内部に携帯電話機１の機器が内蔵されている。
【００３４】
上記第１の筐体２の正面側（第２の筐体３との合わせ面側）には、表示部５、受話部８等が設けられている。上記第２の筐体３の正面側（第１の筐体２との合わせ面側）には、機能ボタン６及び情報入力ボタン７を有する操作部１１、送話部９等が設置されている。
【００３５】
図４は、電話機本体１０と、第１及び第２固定部材３０，３５と、カバー２０と、第１及び第２締結部材１３，１４の分解斜視図を示す。
【００３６】
図４にも示すように、上記電話機本体１０の背面は、カバー２０に覆われている。カバー２０は、本革で構成されているが、合成皮革や布で構成してもよく、これらの複合材料であってもよい。カバー２０は、第１の筐体２背面を覆う第１平面部２１と、第１の筐体２側面を覆う第１枠部２３と、第２の筐体３背面を覆う第２平面部２４と、第２の筐体３側面を覆う第２枠部２６と、該第１平面部２１と第２平面部２４とを連結する結合部２７とを備えている。第１枠部２３は、第１平面部２１に設けられ、中央に上記表示部５を露出させるカバー側第１窓部２２を有している。第２枠部２６は、第２平面部２４に設けられ、中央に上記操作部１１を露出させるカバー側第２窓部２５を有している。第１枠部２３及び第２枠部２６は、第１平面部２１又は第２平面部２４に貼り付けられた状態で、ヒンジ部４側にそれぞれ開口４０，４１が形成されている。
【００３７】
図２に示すように、結合部２７とヒンジ部４との間には、隙間が形成されて互いに結合されていない。結合部２７には、携帯電話機１の開閉を考慮して弛みが設けられている。但し、開いた状態では弛みが発生するように構成されているが、閉じた状態では結合部２７の弛みがなくなるようにすると、見映えがよい。なお、カバー２０は、弛みをなくすために、第１の筐体２と第２の筐体３の結合部２７付近で分割し、分割したそれぞれを第１及び第２の筐体２，３に締結し、ヒンジ部４は覆わないようにしてもよい。
【００３８】
図４に示すように、第１の筐体２の表示部周縁１５は、表示部５よりも若干低く成形され、第１枠部２３の位置決めをするための第１係合用突起１５ａが形成されている。例えば、第１係合用突起１５ａは、表示部５の上側中央に１つ及び表示部５の左右に２つずつ形成されている。表示部周縁１５の四角には、第１締結部材１３を締結するためのネジ穴１５ｂが形成されている。
【００３９】
同様に第２の筐体３の操作部周縁１６は、操作部１１よりも若干低く成形され、第２枠部２６の位置決めをするための第２係合用突起１６ａが形成されている。例えば、第１係合用突起１５ａは、操作部１１の下側中央に１つ及び操作部１１の左右に２つずつ形成されている。第１及び第２係合用突起１６ａの形状は、本実施形態では、断面楕円形であるが、形状は限定されず、断面円形等でもよい。操作部周縁１６の四角には、第２締結部材１４を締結するためのネジ穴１６ｂが形成されている。
【００４０】
上記第１枠部２３には、上記第１係合用突起１５ａに対応する位置に該第１係合用突起１５ａが係合する第１係合孔２３ａが形成されている。上記第２枠部２６には、上記第２係合用突起１６ａに対応する位置に該第２係合用突起１６ａが係合する第２係合孔２６ａが形成されている。
【００４１】
上記第１枠部２３の四角には、ビス挿通孔２８が形成されている。上記第２枠部２６の四角には、ビス挿通孔２９が形成されている。第２枠部２６のヒンジ部４側の上辺中央には、スリット２６ｃが形成されている。
【００４２】
上記第１の筐体２の表示部周縁１５に上記第１固定部材３０が嵌め込まれるようになっている。この第１固定部材３０は、表示部５を囲む固定部材側第１窓部３１を有する平面視略Ｏ字状の薄板の樹脂成形品よりなり、第１の筐体２に設けた受話部８に対応するように上辺部中央には、受話部用貫通孔３２が形成されている。その四角には、ビス挿通孔３３が形成されている。
【００４３】
上記第２の筐体３の操作部周縁１６には、上記第２固定部材３５が嵌め込まれるようになっている。この第２固定部材３５は、操作部１１を囲む固定部材側第２窓部３６を有する平面視略Ｏ字状の薄板の樹脂成形品よりなり、第２の筐体３に設けた送話部９に対応するように下辺部中央には、送話部用貫通孔３７が形成されている。その四角には、ビス挿通孔３８が形成されている。
【００４４】
−カバーの成形方法−
図５は、図３のＶ−Ｖ線断面図を示す。上記カバー２０の成形方法について説明する。
【００４５】
まず、カバー２０は、本革を電話機本体１０よりも横幅及び長さを大きくカットし、上記第１平面部２１、結合部２７及び第２平面部２４に相当する部分を形成する。
【００４６】
次いで、その第１平面部２１及び第２平面部２４の周縁を折り畳んでそれぞれノリ部２１ａ，２４ａを形成する。
【００４７】
一方、第１の筐体２及び第２の筐体３の周縁をそれぞれ覆うように、枠状の第１枠部２３及び第２枠部２６を形成する。第１枠部２３及び第２枠部２６のヒンジ部４側はそれぞれ開口４０，４１を設けておく。
【００４８】
第２枠部２６のヒンジ部４側の上辺中央に切り込みを入れてスリット２６ｃを形成する。
【００４９】
第１枠部２３及び第２枠部２６の周縁に上記ノリ部２１ａ，２４ａに挿入されるフランジ部２３ｃ，２６ｄをそれぞれ形成する。
【００５０】
次いで、フランジ部２３ｃ，２６ｄをそれぞれノリ部２１ａ，２４ａに挿入した状態でミシンで縫う。
【００５１】
−組付手順−
次に、図４を用いてカバー２０の組付手順について説明する。
【００５２】
まず、上記第１の筐体２と、第１固定部材３０と、カバー２０と、第１締結部材１３とを組み付ける。
【００５３】
まず、第１枠部２３の開口４０から第１の筐体２を挿入する。このとき、表示部周縁１５の第１係合用突起１５ａを第１係合孔２３ａに挿入して位置決めを行い、カバー側第１窓部２２から表示部５が露出するようにする。
【００５４】
次いで、第１固定部材３０を表示部周縁１５に嵌め込み、そのビス挿通孔３３を第１枠部２３のビス挿通孔２８に合わせて、第１締結部材１３を挿通し、ネジ穴１５ｂに締結する。
【００５５】
この段階で、カバー２０の第１の筐体２部分の組付が完了となる。
【００５６】
次いで、上記第２の筐体３と、第２固定部材３５と、カバー２０と、第２締結部材１４とを組み付ける。
【００５７】
まず、第２枠部２６のスリット２６ｃを開いて第２の筐体３を挿入する。このスリット２６ｃにより、容易に第２の筐体３を挿入することができる。
【００５８】
次いで、操作部周縁１６の第２係合用突起１６ａを第２係合孔２６ａに挿入して位置決めを行い、カバー側第２窓部２５から操作部１１が露出するようにする。
【００５９】
次いで、第２固定部材３５を操作部周縁１６に嵌め込み、そのビス挿通孔３８を第２枠部２６のビス挿通孔２９に合わせて第２締結部材１４を挿通し、ネジ穴１６ｂに締結する。以上でカバー２０の組付が完了となる。
【００６０】
第１及び第２固定部材３０，３５は、樹脂成形品であるため、加工が容易でカバー２０の材質に合わせた色調や質感を選択できるので、ファッション性が向上する。また、剛性が高く、第１及び第２固定部材３０，３５に受話部用及び送話部用貫通孔３２，３７を設けてもその貫通孔３２，３７がずれないので、受話部８や送話部９を塞いでしまうことがない。
【００６１】
一方、カバー２０の着せ替えをするには、第１締結部材１３、第２締結部材１４を外してカバー２０を取り外し、上記と逆の動作を行った後、再び上記と同様にして別のカバー２０を組み付ければよい。
【００６２】
−実施形態の効果−
したがって、本実施形態にかかる携帯電話機１によると、第１固定部材３０により、第１の筐体２をカバー２０の第１平面部２１及び第１枠部２３に挟んだ状態で第１締結部材１３で締め付け、第２固定部材３５により、第２の筐体３をカバー２０の第２平面部２４及び第２枠部２６に挟んだ状態で第２締結部材１４で締め付けている。このため、携帯電話機１を傷発生を防止するのみならず、使用時には外れにくく、交換時には容易に交換して着せ替えができる、見映えがよく、商品性の高いものとすることができる。
【００６３】
（その他の実施形態）
本発明は、上記実施形態について、以下のような構成としてもよい。
【００６４】
すなわち、上記実施形態では、第２枠部２６のヒンジ部４側の上辺中央にスリット２６ｃを形成したが、第１枠部２３のヒンジ部４側の下辺中央にスリットを形成してもよい。この場合には、第２枠部２６側から第２の筐体３を挿入した後、スリットを開いて第１の筐体２を挿入すればよい。また、第１及び第２枠部２３，２６双方にスリットを形成してもよい。双方にスリットを設けた場合には、挿入手順はどちらからでもよい。どのケースにおいても、スリットは第１又は第２固定部材３０，３５に覆われるので、見映えが悪くならない。
【００６５】
上記実施形態では、折畳み式携帯電子機器を折畳み式携帯電話機としたが、ＰＨＳ、ＰＤＡ、ＰＣ、電子辞書、電卓等の折畳み式携帯電子機器でもよい。
【００６６】
なお、以上の実施形態は、本質的に好ましい例示であって、本発明、その適用物や用途の範囲を制限することを意図するものではない。
【産業上の利用可能性】
【００６７】
以上説明したように、本発明は、皮革製などのカバーで覆われた携帯電話機などの折畳み式携帯電子機器について有用である。
【図面の簡単な説明】
【００６８】
【図１】本発明の実施形態に係わる携帯電話機の閉じた状態を右方向から見た斜視図である。
【図２】携帯電話機の開いた状態を右方向から見た斜視図である。
【図３】携帯電話機の開いた状態を示す平面図である。
【図４】電話機本体と、第１及び第２固定部材と、カバーと、第１及び第２締結部材との分解図である。
【図５】図３のＶ−Ｖ線断面図である。
【符号の説明】
【００６９】
１      携帯電話機（折畳み式携帯電子機器）
２      第１の筐体
３      第２の筐体
４      ヒンジ部
５      表示部
８      受話部
９      送話部
１１      操作部
１３      第１締結部材
１４      第２締結部材
１５      表示部周縁
１５ａ    第１係合用突起
１６      操作部周縁
１６ａ    第２係合用突起
２０      カバー
２１      第１平面部
２２      カバー側第１窓部
２３      第１枠部
２３ａ    第１係合孔
２４      第２平面部
２５      カバー側第２窓部
２６      第２枠部
２６ａ    第２係合孔
２６ｃ    スリット
２７      結合部
３０      第１固定部材
３１      固定部材側第１窓部
３２      受話部用貫通孔
３５      第２固定部材
３６      固定部材側第２窓部
３７      送話部用貫通孔
【図１】
2007235745.tif 000003
【図２】
2007235745.tif 000004
【図３】
2007235745.tif 000005
【図４】
2007235745.tif 000006
【図５】
2007235745.tif 000007